(57)【要約】【課題】浴室のリフォームの際、リフォーム前の床梁材をそのまま用いて新たな浴室防水パンを支持する。【解決手段】浴室の旧浴室防水パンを撤去する一方、旧浴室防水パンを支えていた床梁材５ａ，５ｂを残置する。新たな浴室防水パン２を、支持脚１０を介して床梁材５ａ，５ｂ支持させる。かつ床梁材５ａ，５ｂに応じて支持脚１０を浴室防水パン２に対して位置調節する。【選択図】図１
2019157452.tif 000002
【特許請求の範囲】
【請求項１】
浴室における複数の床梁材上に設置される浴室防水パンと、
前記浴室防水パンの底部に設けられた支持脚と、
を備え、前記支持脚が、前記浴室防水パンに位置調節可能に連結されていることを特徴とする浴室構造。
【請求項２】
前記支持脚の上端部には、前記浴室防水パンの底面に当接される連結フランジが設けられ、前記連結フランジに長穴が形成されており、連結ボルトが前記長穴を通して前記浴室防水パンにねじ込まれていることを特徴とする請求項１に記載の浴室構造。
【請求項３】
浴室をリフォームする方法であって、
前記浴室の旧浴室防水パンを撤去する一方、前記旧浴室防水パンを支えていた床梁材を残置し、
新たな浴室防水パンを、支持脚を介して前記床梁材に支持させ、かつ前記床梁材に応じて前記支持脚を前記新たな浴室防水パンに対して位置調節することを特徴とする浴室リフォーム方法。
【発明の詳細な説明】
【技術分野】
【０００１】
本発明は、浴室構造及び浴室リフォーム方法に関し、特にリフォーム前の床梁及び床小梁などの床梁材をそのまま用いてリフォームされた浴室構造及び浴室リフォーム方法に関する。
【背景技術】
【０００２】
一般に戸建て建物の浴室を新築する際は、基礎上に床梁及び床小梁などの床梁材が架設され、該床梁材上に複数の支持脚を介して浴室防水パンが設置される。各支持脚が床梁材上にちょうど載るように設計され施工される。浴室防水パン上に浴槽が設置される。
【先行技術文献】
【特許文献】
【０００３】
【特許文献１】特開２０１３−２０９８５３号公報
【発明の概要】
【発明が解決しようとする課題】
【０００４】
リフォームの際、浴室底部の床梁材をも解体撤去して設置し直すことにすると、該床梁材を構成する鉄骨の切断、撤去、廃棄、新規の床梁材設置などの作業が必要であり、大掛かりな工事になり、騒音が発生し、工期が長くなり、費用が嵩む。一方、リフォーム前の床梁材を残置して、その上に新たな浴室防水パンを設置することにすると、新たな浴室防水パンに対応する支持脚の位置がリフォーム前の床梁材に対応せず、支持脚を床梁材に載せられなくなることが有り得る。支持脚が床梁材からずれていた場合、傾斜や撓み等の変形、異音、その他の品質上の問題が発生することが考えられる。
本発明は、かかる事情に鑑み、浴室のリフォームの際、リフォーム前の床梁や床小梁等の床梁材を撤去しなくても、該床梁材に支持脚を載せることができ、ひいては支持脚を介して浴室防水パンを支持可能とすることを目的とする。
【課題を解決するための手段】
【０００５】
前記課題を解決するために、本発明に係る浴室構造は、
浴室における複数の床梁材上に設置される浴室防水パンと、
前記浴室防水パンの底部に設けられた支持脚と、
を備え、前記支持脚が、前記浴室防水パンに位置調節可能に連結されていることを特徴とする。
【０００６】
当該浴室構造はリフォーム後の浴室構造として適している。リフォームの際は、好ましくはリフォーム前の床梁や床小梁等の床梁材を残置する。リフォーム前の床梁材を撤去せずにそのまま用いることによって、施工を簡素化でき、騒音の発生を抑制でき、工期を短縮でき、リフォーム費用を低減できる。残置した床梁材の位置に応じて、支持脚を浴室防水パンに対して位置調節する。これによって、支持脚を床梁材に確実に載せることができ、支持脚が床梁材から外れるのを回避できる。したがって、浴室防水パンを安定的に支持でき、浴室防水パンの傾斜や撓み等の変形、異音、その他の品質上の問題が発生するのを防止できる。
【０００７】
前記支持脚の上端部には、前記浴室防水パンの底面に当接される連結フランジが設けられ、前記連結フランジに長穴が形成されており、連結ボルトが前記長穴を通して前記浴室防水パンにねじ込まれていることが好ましい。
前記浴室防水パンを設置する際は、連結ボルトを少し緩めておくことで、支持脚を長穴の延び方向にスライドできる。ひいては支持脚を浴室防水パンに対して位置調節できる。位置調節後、連結ボルトを締め付ける。これによって、支持脚が浴室防水パンに対して固定される。
【０００８】
本発明方法は、浴室をリフォームする方法であって、
前記浴室の旧浴室防水パンを撤去する一方、前記旧浴室防水パンを支えていた床梁材を残置し、
新たな浴室防水パンを、支持脚を介して前記床梁材に支持させ、かつ前記床梁材に応じて前記支持脚を前記新たな浴室防水パンに対して位置調節することを特徴とする。
【発明の効果】
【０００９】
本発明によれば、浴室のリフォームの際、リフォーム前の床梁や床小梁等の床梁材を撤去しなくても、該床梁材に支持脚を載せることができ、ひいては支持脚を介して浴室防水パンを安定的に支持することができる。
【図面の簡単な説明】
【００１０】
【図１】図１は、本発明の一実施形態に係るリフォーム後の浴室を解説的に示す、図２のＩ−Ｉ線に沿う断面図である。
【図２】図２は、図１のＩＩ−ＩＩ線に沿う、前記浴室の断面図である。
【図３】図３は、前記浴室の斜視図である。
【図４】図４は、図１のＩＶ−ＩＶ線に沿う断面図である。
【図５】図５は、図４のＶ−Ｖ線に沿う底面図である。
【図６】図６は、支持脚の斜視図である。
【図７】図７は、リフォーム時の浴室の側面断面図である。
【図８】図８は、浴室をリフォームする建物の変形例を示し、複数の建物ユニットを含むユニット建物の斜視図である。
【発明を実施するための形態】
【００１１】
以下、本発明の一実施形態を図面にしたがって説明する。
図１〜図３は、例えば戸建て住宅におけるリフォーム後の浴室１を簡略的に示したものである。浴室１は、浴室防水パン２の他、図示しない壁パネルおよび天井パネルを含むユニットバスになっている。詳細な図示は省略するが、浴室防水パン２は、浴槽受けパンと、洗い場パンを含んでいる。浴槽受けパン上には浴槽（図示せず）が設置される。洗い場パンによって洗い場が構成される。図４に示すように、例えば洗い場パンを構成する浴室防水パン２は、発泡樹脂からなるパン本体２ａと、該パン本体２ａの底面及び上面にそれぞれ被さる鋼板製の補強板２ｂ，２ｃを含むサンドイッチ構造になっている。
【００１２】
図１及び図２に示すように、前記浴室防水パン２を含むユニットバスが、支持脚１０及び台板４を介して床梁構造５上に載せられて支持されている。床梁構造５は、リフォーム前のものが撤去されずにそのまま用いられている。床梁構造５は、床梁材として、浴室１の周囲の基礎Ｂ上に水平に架け渡された床梁５ａと、対向する床梁５ａ間に水平に架け渡された複数（図１では２つ）の床小梁５ｂとを含む。これら床梁材５ａ，５ｂは、Ｈ鋼などの鉄骨によって構成されている。複数の床小梁５ｂどうしは各々の架け渡し方向と直交する方向に離れて並べられている。
【００１３】
図８に示すように、浴室１の床梁構造５が、工場製作の建物ユニット３の床部分によって構成されていてもよい。建物ユニット３は、床部分の床梁５ａ及び床小梁５ｂに加えて、柱３ｃ及び天井梁３ｄからなる直方体形状のボックスラーメン構造の鉄骨フレーム３ｆを含む。複数の建物ユニット３，３Ｂ，…が組み合わさってユニット建物３Ｘが構築されている。１つの建物ユニット３の長手方向の一部分に浴室１が設けられている。当該建物ユニット３の長手方向の残り部分３ｅは、浴室１以外の室として用いられている。なお、図８においては、残り部分３ｅの床部分の床小梁などの図示は省略されている。
建物ユニット３の鉄骨フレーム３ｆは、リフォーム後においてもリフォーム前のものが撤去されずにそのまま用いられていることが好ましい。
【００１４】
図１〜図３に示すように、床梁構造５上に台板４が敷設されている。台板４は、例えば厚み十数ｍｍ程度の木製合板によって構成されている。
図１及び図２に示すように、浴室防水パン２の底部には複数の支持脚１０が設けられている。これら支持脚１０が台板４に立設されることによって、浴室防水パン２が水平に支持されている。図１に示すように、浴室防水パン２の高さ位置は、洗面室床６の高さに合わせて設定されている。
なお、台板４の大きさは、浴室１の設置領域全面とほぼ同じであってもよい。或いは、支持脚１０の配置場所及びその周辺部だけに台板４が設置されていてもよい。
【００１５】
図４に示すように、支持脚１０は、脚本体部１１と、高さ調節ボルト２０と、ビス３０を含む。脚本体部１１は、一対の側板１３と、底板１４を有している。底板１４の幅方向の両端部にそれぞれ側板１３の下端部が連なっている。底板１４から上方へ向かうにしたがって一対の側板１３どうしの間隔が広がっている。
【００１６】
各側板１３の上端部に連結フランジ１５が水平かつ外側へ突出するように設けられている。図５及び図６に示すように、連結フランジ１５に１又は複数（図では２つ）の長穴１５ｃが形成されている。長穴１５ｃは、連結フランジ１５の長手方向に延びている。
図４に示すように、連結フランジ１５が浴室防水パン２の底面に当接され、かつビス３０が長穴１５ｃを通して浴室防水パン２の鋼板２ｂにねじ込まれている。これによって、支持脚１０が浴室防水パン２に連結されている。
ビス３０が緩められた状態では、支持脚１０が浴室防水パン２に対して長穴１５ｃの延び方向へスライド可能ひいては位置調節可能である。
【００１７】
底板１４には雌ネジ孔１４ｂが形成され、該雌ネジ孔１４ｂに高さ調節ボルト２０が頭部２１を下にして螺合されている。頭部２１が台板４に突き当てられている。
【００１８】
浴室をリフォームする際は、旧浴槽及び旧洗い場（共に図示せず）を撤去する。一方、これら旧浴槽及び旧洗い場を支えていた床梁構造５の床梁材５ａ，５ｂは撤去せずにそのまま残置する。前記ユニット建物３Ｘ（図８）においては、床梁材５ａ，５ｂを含む鉄骨フレーム３ｆの全体を撤去せずにそのまま用いることが好ましい。
該床梁材５ａ，５ｂ上に新たな台板４を設置する。以後、作業者は台板４上で作業することができ、各床梁材５ａ，５ｂ上を渡ったり床梁材５ａ，５ｂを跨いだりする必要が無い。
【００１９】
図７に示すように、新たな浴室防水パン２の底部には支持脚１０を設ける。
該浴室防水パン２を支持脚１０及び台板４を介して床梁構造５に支持させる。このとき、浴室防水パン２が浴室１の正規の位置に配置されるようにする。かつビス３０を少し緩めておき、図７の矢印ａに示すように、支持脚１０を床梁材５ａ，５ｂの位置に応じて浴室防水パン２に対して位置調節する。これによって、図１に示すように、支持脚１０を、台板４を挟んで、床梁５ａ又は床小梁５ｂに確実に載せることができる。言い換えると、支持脚１０が床梁材５ａ，５ｂから外れるのを回避できる。したがって、浴室防水パン２を安定的に支持でき、浴室防水パン２の傾斜や撓み等の変形、異音、その他の品質上の問題が発生するのを防止できる。
前記支持脚１０の位置調節後又は台板４上へ載置後、ビス３０を締め付ける。これによって、支持脚１０が浴室防水パン２に対して固定される。
また、高さ調節ボルト２０によって支持脚１０の高さを調節できる。ひいては、浴室防水パン２の水平度調節や高さ調節を行なうことができる。
【００２０】
本発明は、前記実施形態に限定されるものではなく、その趣旨に反しない限りにおいて種々の改変をなすことができる。
例えば、支持脚１０の位置調節機構としては、連結フランジ１５の長穴１５ｃとビス３０の組み合わせに限らない。浴室防水パン２に長穴ないしは複数の整列された穴が形成されていてもよい。
支持脚１０の形状は適宜改変できる。前記実施形態においては支持脚１０すべて同じ方向に位置調節可能であるが、長穴１５ｃの幅を大きくするなどして複数方向に位置調整可能にしてもよい。
台板４を省略してもよい。
浴室はシャワー室を含む。
浴室防水パン２は、浴槽受けパンがなく洗い場パンだけであってもよい。
リフォームの際、床梁構造５の必ずしも全部の床梁材５ａ，５ｂを残置する必要はない。劣化・損傷が進んだ床梁材１１，１５については撤去して取り替えることにしてもよい。
【産業上の利用可能性】
【００２１】
本発明は、例えば戸建て建物の浴室リフォームに適用可能である。
【符号の説明】
【００２２】
１        浴室
２        浴室防水パン
２ａ      パン本体
２ｂ      下側補強板
２ｃ      上側補強板
４        台板
５        床梁構造
５ａ      床梁（床梁材）
５ｂ      床小梁（床梁材）
６        洗面室床
１０      支持脚
１１      脚本体部
１３      側板
１４      底板
１４ｂ    ネジ孔
１５      連結フランジ
１５ｃ    長穴
２０      高さ調節ボルト
３０      ビス
【図１】
2019157452.tif 000003
【図２】
2019157452.tif 000004
【図３】
2019157452.tif 000005
【図４】
2019157452.tif 000006
【図５】
2019157452.tif 000007
【図６】
2019157452.tif 000008
【図７】
2019157452.tif 000009
【図８】
2019157452.tif 000010